(57)【要約】【課題】  ＩＣソケットをシールドしつつ、接触型ＩＣカードの損傷を防止すること。【解決手段】  ＩＣチップの端子を表面上に露出させた接触型ＩＣカードが挿入され、回路基板５２に配置されるＩＣソケット６１と、このＩＣソケット６１を回路基板５２ごと囲い、ＩＣソケット６１に対向する位置に細長のＩＣカード挿入口１２１が形成された板金からなるシールド部材とを備え、ＩＣカード挿入口１２１の各長辺側縁部１２１ａ、１２１ｂには、接触型ＩＣカードにおけるＩＣチップの端子を避けた部分に対向して、接触型ＩＣカードを案内する案内片１２２ａ、１２２ｂが設けられている。【選択図】      図５
2006178577.tif 000002
【特許請求の範囲】
【請求項１】
ＩＣチップの端子を表面上に露出させた接触型ＩＣカードが挿入されるＩＣソケットと
、このＩＣソケットを回路基板ごと囲い、前記ＩＣソケットに対向する位置に細長のＩＣ
カード挿入口が形成された板金からなるシールド部材とを備え、
前記ＩＣカード挿入口の各長辺側縁部には、前記接触型ＩＣカードにおける前記ＩＣチ
ップの端子を避けた部分に対向して、前記接触型ＩＣカードを案内する案内片が設けられ
ていることを特徴とするＩＣカード処理装置。
【請求項２】
一方の長辺側縁部に設けられた案内片は、前記接触型ＩＣカードが表状態で挿入された
場合に前記ＩＣチップの端子を避けた接触型ＩＣカードの表面に対向すると共に、他方の
長辺側縁部に設けられた案内片は、前記接触型ＩＣカードが表裏反転された裏状態で挿入
された場合に前記ＩＣチップの端子を避けた接触型ＩＣカードの表面に対向するように構
成されていることを特徴とする請求項１に記載のＩＣカード処理装置。
【請求項３】
前記案内片は、前記長辺側縁部に一体に連なり、前記シールド部材の内側に折り曲げら
れて形成されることを特徴とする請求項１又は２に記載のＩＣカード処理装置。
【請求項４】
前記ＩＣソケットは、回路基板に実装され、この回路基板ごと前記シールド部材に囲わ
れていることを特徴とする請求項１乃至３のいずれか一項に記載のＩＣカード処理装置。
【請求項５】
記録ヘッドを備え、記憶装置に記憶されたデータに基づいて前記記録ヘッドにより記録
シートに画像を記録する記録装置において、
ＩＣチップの端子を表面上に露出させた接触型ＩＣカードが挿入され、前記記憶装置に
記憶されているデータを前記ＩＣチップに書き込むか、或いは、前記ＩＣチップからデー
タを読み出すＩＣソケットと、
このＩＣソケットを囲い、前記ＩＣソケットに対向する位置に細長のＩＣカード挿入口
が形成された板金からなるシールド部材とを備え、
前記ＩＣカード挿入口の各長辺側縁部には、前記接触型ＩＣカードにおける前記ＩＣチ
ップの端子を避けた部分に対向して、前記接触型ＩＣカードを案内する案内片が設けられ
ていることを特徴とする記録装置。
【発明の詳細な説明】
【技術分野】
【０００１】
本発明は、接触型ＩＣカードが挿入されるＩＣソケットを備えたＩＣカード処理装置及
びＩＣソケットを備えた記録装置に関する。
【背景技術】
【０００２】
一般に、ロール状の記録シートを収納する収納部を有する固定側ユニットと、この固定
側ユニットに開閉自在に支持される開閉側ユニットとを備え、収納部から搬送経路に繰り
出された記録シートに記録ヘッドによって画像を記録する記録装置が知られている（例え
ば、特許文献１参照）。この種の記録装置として、金銭処理装置などの外部装置から受信
した売上情報等のデータに基づいて、売上伝票や領収書等の記録シートに印字を行うもの
が知られている。
【特許文献１】特開２００４−８２７２１号公報
【発明の開示】
【発明が解決しようとする課題】
【０００３】
近年、上記記録装置において、売上伝票や領収書等の記録シートに記録される売上情報
などのデータを税務申告等のために記憶する記憶装置を備え、この記憶装置に記憶された
データを接触型ＩＣカードにダウンロードする機能を搭載したいという要望が高まってい
る。
【０００４】
そこで、上記記録装置に、接触型ＩＣカードが挿入されるＩＣソケットを備え、このＩ
Ｃソケットに挿入されたＩＣカードにデータを書き込むように構成されたＩＣカード処理
装置を搭載するものが提案されている。
【０００５】
この種の記録装置では、例えば、外部の静電気又は電波ノイズによって、ＩＣソケット
や、ＩＣソケットが配置される回路基板上の各種電子部品、ＩＣソケットに挿入されたＩ
ＣカードのＩＣチップ等が破損してしまう恐れがあるので、ＩＣソケットを回路基板ごと
板金で形成されるシールド部材で囲うのが好ましい。
【０００６】
ところで、ＩＣソケットをシールド部材で囲う場合、シールド部材においてＩＣソケッ
トに対向する位置には、細長のＩＣカード挿入口を形成しなければならないが、このＩＣ
カード挿入口に接触型ＩＣカードのＩＣチップの端子が接触しないように、ＩＣカード挿
入口の長辺側縁部の間隔を大きく形成してしまうと、シールド部材による遮蔽効果が低下
してしまうため、この間隔はできるだけ小さく形成しなければならない。しかし、ＩＣチ
ップの端子は露出しているので、ＩＣカード挿入口の長辺側縁部の間隔を小さくすると、
接触型ＩＣカードのＩＣチップの端子がＩＣカード挿入口に接触し易くなり、このＩＣカ
ード挿入口によって損傷する恐れがある。
【０００７】
そこで、本発明の目的は、上述した従来の技術が有する課題を解消し、接触型ＩＣカー
ドの損傷を防止することができるＩＣカード処理装置及び記録装置を提供することにある
。
【課題を解決するための手段】
【０００８】
上記課題を解決するため、本発明は、ＩＣチップの端子を表面上に露出させた接触型Ｉ
Ｃカードが挿入されるＩＣソケットと、このＩＣソケットを回路基板ごと囲い、前記ＩＣ
ソケットに対向する位置に細長のＩＣカード挿入口が形成された板金からなるシールド部
材とを備え、前記ＩＣカード挿入口の各長辺側縁部には、前記接触型ＩＣカードにおける
前記ＩＣチップの端子を避けた部分に対向して、前記接触型ＩＣカードを案内する案内片
が設けられていることを特徴とするものである。前記構成によれば、接触型ＩＣカードを
ＩＣソケットに挿入した際に、接触型ＩＣカードのＩＣチップの端子がＩＣカード挿入口
の各長辺側縁部及び案内片に接触することなく、接触型ＩＣカードが案内片により案内さ
れるので、接触型ＩＣカードのＩＣチップの端子の損傷を防止することができる。
【０００９】
また、前記ＩＣカード処理装置において、一方の長辺側縁部に設けられた案内片は、前
記接触型ＩＣカードが表状態で挿入された場合に前記ＩＣチップの端子を避けた接触型Ｉ
Ｃカードの表面に対向すると共に、他方の長辺側縁部に設けられた案内片は、前記接触型
ＩＣカードが表裏反転された裏状態で挿入された場合に前記ＩＣチップの端子を避けた接
触型ＩＣカードの表面に対向するように構成されていることを特徴とするものである。前
記構成によれば、ユーザが誤って接触型ＩＣカードを裏状態でＩＣソケットに挿入した場
合でも、接触型ＩＣカードのＩＣチップの端子が、ＩＣカード挿入口の各長辺側縁部及び
案内片に接触することはないので、接触型ＩＣカードのＩＣチップの端子の損傷を防止す
ることができる。
【００１０】
また、前記ＩＣカード処理装置において、前記案内片は、前記長辺側縁部に一体に連な
り、前記シールド部材の内側に折り曲げられて形成されることを特徴とするものである。
前記構成によれば、案内片を折り曲げて形成するだけでよいので、複雑な形状とならず、
簡単な構成で、接触型ＩＣカードのＩＣチップの端子の損傷を防止することができる。
【００１１】
また、前記ＩＣカード処理装置において、前記ＩＣソケットは、回路基板に実装され、
この回路基板ごと前記シールド部材に囲われていることを特徴とするものである。前記構
成によれば、回路基板にＩＣソケットが実装されているので、別途、ＩＣソケットと回路
基板との配線作業やＩＣソケットのシールド部材への取り付け作業を行わなくてもよく、
更に、回路基板上の各種電子部品もシールド部材によりシールドされ、このような構成の
ものにおいて、挿入される接触型ＩＣカードのＩＣチップの端子の損傷を防止することが
できるものである。
【００１２】
記録ヘッドを備え、記憶装置に記憶されたデータに基づいて前記記録ヘッドにより記録
シートに画像を記録する記録装置において、ＩＣチップの端子を表面上に露出させた接触
型ＩＣカードが挿入され、前記記憶装置に記憶されているデータを前記ＩＣチップに書き
込むか、或いは、前記ＩＣチップからデータを読み出すＩＣソケットと、このＩＣソケッ
トを囲い、前記ＩＣソケットに対向する位置に細長のＩＣカード挿入口が形成された板金
からなるシールド部材とを備え、前記ＩＣカード挿入口の各長辺側縁部には、前記接触型
ＩＣカードにおける前記ＩＣチップの端子を避けた部分に対向して、前記接触型ＩＣカー
ドを案内する案内片が設けられていることを特徴とするものである。前記構成によれば、
接触型ＩＣカードをＩＣソケットに挿入した際に、接触型ＩＣカードのＩＣチップの端子
がＩＣカード挿入口の各長辺側縁部及び案内片に接触することなく、接触型ＩＣカードが
案内片により案内されるので、接触型ＩＣカードのＩＣチップの端子の損傷を防止するこ
とができる。
【発明の効果】
【００１３】
本発明によれば、接触型ＩＣカードのＩＣチップの端子がＩＣカード挿入口の長辺側縁
部及び案内片に接触することなく、接触型ＩＣカードが案内片により案内されるので、Ｉ
Ｃソケットをシールドしつつ、接触型ＩＣカードのＩＣチップの端子の損傷を防止するこ
とができる。
【発明を実施するための最良の形態】
【００１４】
以下、本発明の実施形態について図面を参照して説明する。
【００１５】
図１は、本発明の実施形態にかかる記録装置としてのプリンタの外観を示す正面斜視図
であり、図２は、接触型ＩＣカードが挿入された状態のプリンタの外観を示す正面斜視図
であり、図３は、プリンタを示す概略側断面図である。
【００１６】
図１及び図２に示すように、プリンタ１は、その四周側面を覆う矩形枠状のプリンタケ
ース本体２と、プリンタ上面の前側部分を覆う前側開閉蓋３及び後側部分を覆う後側開閉
蓋４とを備え、これらによりプリンタケースが構成されている。このプリンタケースは、
プラスチック等の樹脂で形成されている。開閉蓋３、４の間の位置には、記録紙排出口５
が形成されている。
【００１７】
このプリンタケースの下部には、ＩＣカード処理装置１００が設けられている。このＩ
Ｃカード処理装置１００は、接触型ＩＣカード２００が挿入される挿入口１０２を前面に
有するケース１０１を備え、このケース１０１が不図示のねじ等でプリンタケースの下部
に固定されている。このケース１０１は、プリンタケースと同様にプラスチック等の樹脂
で形成されている。なお、接触型ＩＣカード２００の表面２００ａには、ＩＣチップ２０
１の金メッキされた端子２０２が露出している。この端子２０２は、ＩＣチップ２０１の
全表面を覆って形成されている。なお、接触型ＩＣカード２００の基体は、プラスチック
等の樹脂で形成されている。
【００１８】
上記後側開閉蓋４には、スライドボタン６が設けられ、このスライドボタン６を操作す
ると、そのロック機構（不図示）が外れて、当該後側開閉蓋４が、後方に跳ね上げられて
、開けることが可能になる。
【００１９】
この後側開閉蓋４を開けると、記録シートとしての図３に示すロール状に巻かれた一定
幅の記録紙７（以下、「ロール紙」という。）を収納する収納部８が露出し、この収納部
８に収納されたロール紙７が交換可能になる。このロール紙７は、例えば、ロール状に巻
かれた売上伝票や領収書等である。
【００２０】
また、前側開閉蓋３を開けると、インクリボンを収納したリボンカセット９を着脱可能
に装着するリボンカセット装着部１０が露出し、リボンカセット９の交換などを行うこと
ができる。プリンタ１は、記録ヘッド２０を備え、この記録ヘッド２０のヘッド面２０ａ
に対向してプラテン２１が配置されている。この記録ヘッド２０は、ドットインパクト方
式の記録ヘッドであり、複数の記録ワイヤ（不図示）を備え、これら記録ワイヤをヘッド
面２０ａから選択的に突出させてプラテン２１上に搬送されたロール紙７にリボンカセッ
ト９から繰り出されたインクリボンを介して画像を記録するものである。
【００２１】
上記プリンタケースには、プリンタユニット１１が内蔵され、このプリンタユニット１
１は、固定側ユニット１２と、この固定側ユニット１２に設けられた収納部８を開閉可能
に固定側ユニット１２に支持される開閉側ユニット１３とを備えて構成されている。固定
側ユニット１２には、前側開閉蓋３が固定され、開閉側ユニット１３には、後側開閉蓋４
が固定されている。
【００２２】
この開閉側ユニット１３は、固定側ユニット１２の後端部分に設けられた回転中心軸３
６を中心として上下に揺動可能な状態で支持されている。
【００２３】
固定側ユニット１２は、鉄製の板金で形成された本体フレーム４０を備えており、この
本体フレーム４０の前側部分にはキャリッジガイド軸２３が幅方向に架け渡されている。
このキャリッジガイド軸２３には、記録ヘッド２０を搭載したヘッドキャリッジ２２が往
復移動可能な状態で支持されている。また、本体フレーム４０には、リボンフレーム４１
が装着されている。
【００２４】
開閉側ユニット１３は、鉄製の板金で形成された開閉フレーム４２を備えている。この
開閉フレーム４２の後端部分が、本体フレーム４０に固定された回転中心軸３６の両端部
分によって回転自在に支持されている。これら本体フレーム４０及び開閉フレーム４２に
より、プリンタフレームが構成されている。
【００２５】
本体フレーム４０後側の部分には、側方から見た場合に上方に開口した円弧状の底面を
備えた収納部８が形成されている。本体フレーム４０は、ベースフレーム４０ａと、この
ベースフレーム４０ａの両端に立設される一対のサイドフレーム（不図示）とを備えてい
る。
【００２６】
収納部８に収納されたロール紙７は、収納部８の前端部分（収納部８の下流）に配置さ
れているガイドローラ１４を介して記録紙搬送路１５に導かれる。この記録紙搬送路１５
は、前方に向けて上方に僅かに傾斜している搬送路部分１６と、この搬送路部分１６の前
端から上方に大きな傾斜角度で立ち上がっている前方傾斜路部分１７と、この前方傾斜路
部分１７の上端から後方に向けて傾斜して記録紙排出口５に繋がっている後方傾斜路部分
１８とを備えて構成される。なお、図３においてはロール紙７を二点鎖線で示してある。
【００２７】
記録紙搬送路１５の搬送路部分１６は、一対の搬送ガイド１６ａ、１６ｂにより形成さ
れる。詳細に説明すると、固定側ユニット１２の収納部８に連なる固定側の搬送ガイド１
６ｂと、開閉側ユニット１３を閉じた状態で固定側の搬送ガイド１６ｂに対向するように
開閉側ユニット１３に設けられる開閉側の搬送ガイド１６ａとにより記録紙搬送路１５の
搬送路部分１６が形成される。
【００２８】
この搬送路部分１６に続く前方傾斜路部分１７は、記録ヘッド２０のヘッド面２０ａと
、これに対して一定間隔で対向しているプラテン２１とによって規定されており、記録ヘ
ッド２０により画像が記録される記録位置となっている。記録ヘッド２０は、そのヘッド
面２０ａが後ろ向きで、上方に傾斜した姿勢で配置されている。記録ヘッド２０の傾きに
対応させて、プラテン２１の表面は前方に向けて下方に傾斜した状態に配置されている。
記録ヘッド２０は、ヘッドキャリッジ２２に搭載されており、ヘッドキャリッジ２２は、
キャリッジガイド軸２３に沿って紙幅方向と同一方向に往復移動可能となっている。
【００２９】
ヘッドキャリッジ２２の上側には、リボンカセット装着部１０が形成されている。当該
リボンカセット装着部１０も後方に向けて上側に向かうように傾斜配置されている。従っ
て、ここに装着したリボンカセット９のインクリボンは、記録ヘッド２０とプラテン２１
との間に、これらと平行となるようにセット可能である。
【００３０】
前方傾斜路部分１７に連続している後方傾斜路部分１８は、プラテン２１の上端から後
方に向けて折れ曲がった方向に延びているガイド板２８によって規定されている。この後
方傾斜路部分１８には、紙送りローラ２５と、紙押さえローラ２６とを備えた紙送り機構
が配置されている。ロール紙７は、紙送りローラ２５と紙押さえローラ２６の間に挟まれ
、不図示の駆動源によって紙送りローラ２５を回転することによって記録紙搬送路１５に
沿って搬送される。
【００３１】
記録紙排出口５の近傍には、ロール紙７を切断するための鋏式の自動切断ユニット３０
が配置されている。この自動切断ユニット３０は、ロール紙７の搬送経路を挟み、前側に
配置された固定刃３１と、後側に配置された可動刃３２と、可動刃３２を動作させるため
の駆動機構３３とを備えている。可動刃３２及び駆動機構３３はケース３４に内蔵されて
いる。固定刃３１と可動刃３２との間にあるロール紙７は、可動刃３２が固定刃３１の上
面を摺動することによって切断される。また、記録紙排出口５の前縁部分には手動操作に
よりロール紙７を切断可能な切断刃３５が取り付けられている。
【００３２】
このプリンタユニット１１では、ロール紙７の交換作業などを簡単に行うことができる
ように、ロール紙７を収納する収納部８を閉塞している後側開閉蓋４を開けると、収納部
８と共に、記録紙搬送路１５も開放状態となるように構成されている。そのために、固定
側ユニット１２には、記録紙搬送路１５を構成する一方の構成部品を取り付け、移動側で
ある開閉側ユニット１３には後側開閉蓋４と、記録紙搬送路１５を構成する他方の構成部
品とを取り付け、開閉側ユニット１３を開くと、収納部８及び固定側の搬送ガイド１６ｂ
が露出されるようになっている。
【００３３】
固定側ユニット１２は、収納部８、搬送路部分１６の固定側の搬送ガイド１６ｂ、記録
ヘッド２０、紙押さえローラ２６及び自動切断ユニット３０の固定刃３１を備えている。
また、開閉側ユニット１３は、搬送路部分１６の搬送ガイド１６ａ、前方傾斜路部分１７
のプラテン２１及び後方傾斜路部分１８のガイド板２８と、紙送りローラ２５と、自動切
断ユニット３０の可動刃３２及び駆動機構３３とを備えている。この可動刃３２が何らか
の故障で切断状態、つまり可動刃３２が固定刃３１と交叉状態で停止されたときであって
も、可動刃３２が固定刃３１の上側に位置するので、開閉側ユニット１３は、移動可能と
なる。
【００３４】
このように、開閉側ユニット１３を全開にすると、上方からロール紙７を収納部８に落
とし込むという簡単な操作によりロール紙７を収納できる。また、記録紙搬送路１５が開
放状態になっているので、記録紙搬送路１５に沿ってロール紙７を配置する操作も極めて
簡単である。更に、開閉側ユニット１３を閉じて図３に示す状態に戻すと、ロール紙７が
記録ヘッド２０とプラテン２１の間、及び紙送りローラ２５と紙押さえローラ２６の間を
通って記録紙排出口５から引き出された状態が自動的に形成される。
【００３５】
本体フレーム４０のベースフレーム４０ａの下方には、プリンタ１全体を制御するプリ
ンタ制御回路基板５１が配置されている。このプリンタ制御回路基板５１の下方には、プ
リンタ制御回路基板５１にケーブル５３で接続され、ＩＣカード処理装置１００を制御す
るフィスカル回路基板５２が配置されている。このフィスカル回路基板５２には、接触型
ＩＣカード２００が挿入されるＩＣソケット６１が実装されている。このＩＣソケット６
１は、当該ＩＣソケット６１を実装したフィスカル回路基板５２ごと、板金で形成された
シールド部材１２０によって囲われている。従って、別途、ＩＣソケット６１とフィスカ
ル回路基板５２との配線作業やＩＣソケット６１のシールド部材１２０への取り付け作業
を行わなくてもよい。
【００３６】
このＩＣソケット６１は、接触型ＩＣカード２００が表状態で挿入された場合にＩＣチ
ップ２０１にデータを書き込むことが可能であり、接触型ＩＣカード２００が裏状態で挿
入された場合には、ＩＣチップ２０１にデータを書き込むことはできない。
【００３７】
図４は、各回路基板５１、５２上の主要構成を示すブロック図である。
フィスカル回路基板５２には、挿入された接触型ＩＣカード２００のＩＣチップ２０１
にデータを書き込むＩＣソケット６１及びこのＩＣソケット６１を駆動するＩＣソケット
駆動回路６２等の電子部品が実装され、プリンタ制御回路基板５１には、プリンタ１の各
部（記録ヘッド２０、ヘッドキャリッジ２２のモータ、紙送りローラ２５のモータ、自動
切断ユニット３０の駆動機構３３等）を駆動する駆動回路７２、及びこの駆動回路７２と
フィスカル回路基板５２上のＩＣソケット駆動回路６２を制御するマイクロコンピュータ
７３等の電子部品が実装される。
【００３８】
マイクロコンピュータ７３は、ＣＰＵ７３ａ、ＲＯＭ７３ｂ、ＲＡＭ７３ｃ及びＥＥＰ
ＲＯＭ７３ｄを備えている。
ＣＰＵ７３ａは、ＲＯＭ７３ｂに記憶された制御プログラムに従ってプリンタ１の動作
を制御する。ＲＯＭ７３ｂには、制御プログラムなどが記憶されている。ＲＡＭ７３ｃは
、ＣＰＵ７３ａが読み出した制御プログラムなどが一時的に格納される。ＥＥＰＲＯＭ７
３ｄには、不図示の金銭処理装置（外部装置）から取り込んだ、売上伝票や領収書等のロ
ール紙７に記録する売上情報等のデータが記憶される。
【００３９】
このマイクロコンピュータ７３には、接触型ＩＣカード２００がＩＣソケット６１に挿
入された場合に、ＥＥＰＲＯＭ７３ｄに記憶したデータを、接触型ＩＣカード２００のＩ
Ｃチップ２０１にダウンロードする（書き込む）機能が備えられている。
【００４０】
図５及び図６は、ＩＣカード処理装置１００の展開斜視図である。
ＩＣカード処理装置１００は、板金が略コ字形状に折り曲げられて一体に形成された３
つの側板１０３ａ、１０３ｂ、１０３ｃと、板金が略Ｌ字形状に折り曲げられて一体に形
成された側板１０３ｄ及び底板１０３ｅとを備え、これら側板１０３ａ〜１０３ｄ、底板
１０３ｅで構成される箱体１０３がケース１０１の内部に配置される。
【００４１】
左右の側板１０３ｂ、１０３ｃには、ケース１０１にねじ１１１で固定される複数のね
じ固定部１０４が設けられ、底板１０３ｅには、側板１０３ｂ、１０３ｃにねじ１１２で
固定するための複数のねじ孔１０５が設けられている。これらねじ１１１、１１２により
、ケース１０１及び箱体１０３が一体に固定される。このようにして、ケース１０１の内
部には、上方が開放した板金の箱体１０３が固定される。ここで、この箱体１０３内部に
は、フィスカル回路基板５２が配置され、このフィスカル回路基板５２が側板１０３ｂ、
１０３ｃに形成された複数のねじ固定部１０６に下方からねじ１１３で固定される。
【００４２】
ＩＣソケット６１の下部には、図６に示すように、不図示の非接触型ＩＣカードのＩＣ
チップよりデータを読み込んだり書き込むことが可能なカードリードライト装置６３が設
けられ、底板１０３ｅのカードリードライト装置６３に対向する部分には、板金の蓋体１
０７（図３参照）で閉塞可能な開口１０８が形成されている。
【００４３】
このＩＣカード処理装置１００が、図３に示すように、プリンタケースの下部に固定さ
れることで、箱体１０３の上方が板金で形成されたベースフレーム４０ａで閉塞される。
つまり、プリンタ制御回路基板５１とフィスカル回路基板５２とが鉄製の板金で形成され
た箱体１０３とベースフレーム４０ａとを有するシールド部材１２０で囲われることとな
る。
【００４４】
さて、図５及び図６に示すように、前方の側板１０３ａには、ケース１０１の挿入口１
０２に対向すると共に、フィスカル回路基板５２に配置されたＩＣソケット６１に対向す
るＩＣカード挿入口１２１が形成されている。つまり、図７に示すように、接触型ＩＣカ
ード２００は、ケース１０１の挿入口１０２を通じ、シールド部材１２０のＩＣカード挿
入口１２１を通じてＩＣソケット６１に挿入されることとなる。
【００４５】
このＩＣカード挿入口１２１は、図５及び図６に示すように、細長の略矩形状に形成さ
れ、このＩＣカード挿入口１２１の各長辺側縁部１２１ａ、１２１ｂには、接触型ＩＣカ
ード２００をＩＣソケット６１に案内する複数（本実施形態では、それぞれ２つ）の案内
片１２２ａ、１２２ｂが設けられている。
【００４６】
各案内片１２２ａ、１２２ｂは、各長辺側縁部１２１ａ、１２１ｂに連なってＩＣカー
ド挿入口１２１の内側に向かって延びると共に、シールド部材１２０の内側に折り曲げら
れて形成されている。つまり、一方の長辺側縁部１２１ａには、２つの案内片１２２ａが
他方の長辺側縁部１２１ｂに向かって延びると共に、シールド部材１２０の内側に折り曲
げられて形成され、他方の長辺側縁部１２１ｂには、２つの案内片１２２ｂが一方の長辺
側縁部１２１ａに向かって延びると共に、シールド部材１２０の内側に折り曲げられて形
成されている。従って、これら案内片１２２ａ、１２２ｂによってＩＣカード挿入口１２
１を通過する接触型ＩＣカード２００は、案内片１２２ａ、１２２ｂに接触することはあ
っても、長辺側縁部１２１ａ、１２１ｂのいずれにも接触することはない。
【００４７】
図８は、案内片１２２ａ、１２２ｂが形成される前のＩＣカード挿入口１２１の平面図
である。両長辺側縁部１２１ａ、１２１ｂには、案内片１２２ａ、１２２ｂとなる舌片１
２２ａ−１、１２２ｂ−１が長手方向に千鳥状に形成されている。更に、各舌片１２２ａ
−１、１２２ｂ−１の長さＬは、長辺側縁部１２１ａ、１２１ｂ間の距離Ｗの半分の長さ
よりも長く設定されている。つまり、一方の長辺側縁部１２１ａに形成された案内片１２
２ａと、他方の長辺側縁部１２１ｂに形成された案内片１２２ｂとは、千鳥配列となるよ
うに配置されている。このように、千鳥配列とすることで、各舌片１２２ａ−１、１２２
ｂ−１の長さＬを案内片１２２ａ、１２２ｂを形成するのに必要な長さ以上にするために
長辺側縁部１２１ａ、１２１ｂ間の距離Ｗを大きく設定する必要がない。従って、長辺側
縁部１２１ａと長辺側縁部１２１ｂとの間の距離Ｗを小さくすることができ、シールド部
材１２０によって効果的に静電気及び電波ノイズを遮蔽することができる。
【００４８】
図９は、ＩＣソケット６１に接触型ＩＣカード２００が表状態で挿入された場合を示す
、フィスカル回路基板５２、及びＩＣソケット６１を省略したＩＣカード処理装置１００
の部分上面図である。
【００４９】
一方の長辺側縁部１２１ａに形成された２つの案内片１２２ａは、接触型ＩＣカード２
００が表状態で挿入された場合にＩＣチップ２０１の端子２０２を避けた接触型ＩＣカー
ド２００の表面２００ａに対向するように構成されている。
【００５０】
つまり、長辺側縁部１２１ａに形成された案内片１２２ａは、接触型ＩＣカード２００
におけるＩＣチップ２０１の端子２０２を避けた部分に対向しているので、案内片１２２
ａは、接触型ＩＣカード２００の表面２００ａにおいて、ＩＣチップ２０１の端子２０２
以外の部分に接触することはあっても、ＩＣチップ２０１の端子２０２に接触することは
ない。
【００５１】
なお、この場合、他方の長辺側縁部１２１ｂに形成された案内片１２２ｂは、接触型Ｉ
Ｃカード２００の裏面２００ｂに対向するので、表面２００ａに露出したＩＣチップ２０
１の端子２０２に接触することはない。
【００５２】
従って、接触型ＩＣカード２００をＩＣソケット６１に挿入した際に、接触型ＩＣカー
ド２００のＩＣチップ２０１の端子２０２がＩＣカード挿入口１２１の長辺側縁部１２１
ａ及び案内片１２２ａに接触することなく、接触型ＩＣカード２００が案内片１２２ａ、
１２２ｂにより案内されるので、接触型ＩＣカード２００のＩＣチップ２０１の端子２０
２の損傷を防止することができる。
【００５３】
図１０は、ＩＣソケット６１に接触型ＩＣカード２００が裏状態で挿入された場合を示
す、フィスカル回路基板５２、及びＩＣソケット６１を省略したＩＣカード処理装置１０
０の部分上面図である。つまり、ユーザが誤って接触型ＩＣカード２００を表裏反転させ
た裏状態でＩＣソケット６１に挿入してしまった場合を示している。
【００５４】
他方の長辺側縁部１２１ｂに形成された２つの案内片１２２ｂは、接触型ＩＣカード２
００が裏状態で挿入された場合にＩＣチップ２０１の端子２０２を避けた接触型ＩＣカー
ド２００の表面２００ａに対向するように構成されている。
【００５５】
つまり、長辺側縁部１２１ｂに形成された案内片１２２ｂは、接触型ＩＣカード２００
におけるＩＣチップ２０１の端子２０２を避けた部分に対向しているので、案内片１２２
ｂは、接触型ＩＣカード２００の表面２００ａにおいて、ＩＣチップ２０１の端子２０２
以外の部分に接触することはあっても、ＩＣチップ２０１の端子２０２に接触することは
ない。
【００５６】
なお、この場合、一方の長辺側縁部１２１ａに形成された案内片１２２ａは、接触型Ｉ
Ｃカード２００の裏面２００ｂに対向するので、表面２００ａに露出したＩＣチップ２０
１の端子２０２に接触することはない。
【００５７】
従って、ユーザが誤って接触型ＩＣカード２００を表裏反転させてＩＣソケット６１に
挿入した場合であっても、接触型ＩＣカード２００のＩＣチップ２０１の端子２０２がＩ
Ｃカード挿入口１２１の長辺側縁部１２１ｂ及び案内片１２２ｂに接触することはなく、
接触型ＩＣカード２００が案内片１２２ａ、１２２ｂにより案内されるので、接触型ＩＣ
カード２００のＩＣチップ２０１の端子２０２の損傷を防止することができる。
【００５８】
以上、一実施形態に基づいて本発明を説明したが、本発明は、これに限定されるもので
はない。例えば、上記実施形態では、ドットインパクト式の記録ヘッド２０を備えたプリ
ンタに関するものであるが、記録ヘッドとしてインクジェットヘッドを用いたプリンタに
対しても本発明を同様に適用可能である。更に、記録ヘッドとしてサーマルヘッドのよう
な接触型のものを用いたプリンタに対しても適用可能である。
【００５９】
また、上記実施形態では、一方の長辺側縁部１２１ａに２つの案内片１２２ａを設け、
他方の長辺側縁部１２１ｂに２つの案内片１２２ｂを設ける場合について説明したが、接
触型ＩＣカード２００を案内する機能を果たせば案内片の数をこの数に限定するものでは
なく、一方の長辺側縁部１２１ａに、１つ或いは３つ以上の案内片を設ける場合であって
もよいし、他方の長辺側縁部１２１ｂに、１つ或いは３つ以上の案内片を設ける場合であ
ってもよい。この場合、各案内片は、ＩＣチップの端子に接触しないように配置されてい
ればよい。
【００６０】
また、上記実施形態では、記憶装置としてマイクロコンピュータ７３のＥＥＰＲＯＭ７
３ｄを用いた場合について説明したが、これに限るものではなく、コンピュータによりデ
ータの書き換え可能な記憶装置であればよく、例えば、ＨＤＤ（Hard Disk Drive）装置
等であってもよい。
【００６１】
また、上記実施形態では、記憶装置としてのＥＥＰＲＯＭ７３ｄ内のデータを、ＩＣソ
ケット６１により接触型ＩＣカード２００のＩＣチップ２０１に書き込む場合について説
明したが、これに限るものではなく、接触型ＩＣカード２００のＩＣチップ２０１に書き
込まれているデータを、ＩＣソケット６１により読み出す場合であってもよい。
【図面の簡単な説明】
【００６２】
【図１】本発明の実施形態にかかる記録装置としてのプリンタの外観を示す正面斜視図である。
【図２】接触型ＩＣカードが挿入された状態のプリンタの外観を示す正面斜視図である。
【図３】プリンタを示す概略側断面図である。
【図４】各回路基板上の主要構成を示すブロック図である。
【図５】ＩＣカード処理装置の展開斜視図である。
【図６】ＩＣカード処理装置の展開斜視図である。
【図７】ＩＣカード処理装置の要部を示す部分側断面図である。
【図８】案内片が形成される前のＩＣカード挿入口の平面図である。
【図９】表状態で挿入された接触型ＩＣカードを含むＩＣカード処理装置の部分上面図である。
【図１０】裏状態で挿入された接触型ＩＣカードを含むＩＣカード処理装置の部分上面図である。
【符号の説明】
【００６３】
１…プリンタ（記録装置）、７…ロール紙（記録シート）、８…収納部、２０…記録ヘ
ッド、２１…プラテン、４０ａ…ベースフレーム（シールド部材）、５２…フィスカル回
路基板（回路基板）、６１…ＩＣソケット、７３…マイクロコンピュータ、７３ｄ…ＥＥ
ＰＲＯＭ（記憶装置）、１００…ＩＣカード処理装置、１０１…ケース、１０３…箱体（
シールド部材）、１２０…シールド部材、１２１…ＩＣカード挿入口、１２１ａ，１２１
ｂ…長辺側縁部、１２２ａ，１２２ｂ…案内片、２００…接触型ＩＣカード、２００ａ…
表面、２０１…ＩＣチップ、２０２…端子。
【図１】
2006178577.tif 000003
【図２】
2006178577.tif 000004
【図３】
2006178577.tif 000005
【図４】
2006178577.tif 000006
【図５】
2006178577.tif 000007
【図６】
2006178577.tif 000008
【図７】
2006178577.tif 000009
【図８】
2006178577.tif 000010
【図９】
2006178577.tif 000011
【図１０】
2006178577.tif 000012